(57)【要約】【課題】部品点数の減少及び可動障子の完璧なロック状態の実現。【解決手段】可動障子が全閉状態の位置になると窓枠側に固定されたガイド板を介して可動ブラケットを垂直方向に移動させて可動障子と可動ブラケットに連結された開閉アームを可動ブラケットで係止する突き出し窓のロック装置であって、開閉アームは１本であり、また、可動ブラケットの中央部には、開閉アームの後端部に所定間隔離間して設けた第１可動ピンと第２可動ピンにそれぞれ係合する上下の案内支持部分が形成され、その一つの案内支持部分は、開閉アームを第１可動ピンを介して回転運動に変える斜め方向の駆動案内長孔と、該駆動案内長孔に垂直方向に連通すると共に前記第１可動ピンを係止するロック案内長孔であることを特徴とする。【選択図】図１
2009084935.tif 000002
【特許請求の範囲】
【請求項１】
可動障子が全閉状態の位置になると操作手段の操作力又は駆動モータの駆動力のいずれかにより窓枠側に固定されたガイド板を介して可動ブラケットを垂直方向に移動させて可動障子と可動ブラケットに連結された開閉アームを可動ブラケットで係止する突き出し窓のロック装置であって、前記開閉アームは１本であり、また、前記可動ブラケットの中央部には、前記開閉アームの後端部に所定間隔離間して設けた第１可動ピンと第２可動ピンにそれぞれ係合する上下の案内支持部分が形成され、その一つの案内支持部分は、前記開閉アームを第１可動ピンを介して回転運動に変える斜め方向の駆動案内長孔と、該駆動案内長孔に垂直方向に連通すると共に前記第１可動ピンを係止するロック案内長孔であることを特徴とする突き出し窓のロック装置。
【請求項２】
請求項１に於いて、可動障子側の固定ブラケットに補助用係合突起を設け、この補助用係合突起は、可動障子の全閉時に可動ブラケットに形成した第１の鉤状ロック部分に係合することを特徴とする突き出し窓のロック装置。
【請求項３】
請求項１又は請求項２に於いて、開閉アームの中央部或いは中央部寄りの部位には係合ピンが設けられ、一方、可動ブラケットには、前記係合ピンと係脱する第２の鉤状ロック部分が形成されていることを特徴とする突き出し窓のロック装置。
【請求項４】
請求項１乃至請求項３のいずれかに於いて、リップ溝形状部分を有する長尺状ガイド板に長尺状の可動ブラケットの端板部分が係合保持され、しかも、前記端板部分の全体が長尺状ガイド板内面にスライド自在に位置付けられていることを特徴とする突き出し窓のロック装置。
【請求項５】
請求項１に於いて、開閉アームの中央部或いは中央部寄りの部位と可動ブラケットを案内するガイド板の一端部には、補助用支持アームが枢軸を介して連結されていることを特徴とする突き出し窓のロック装置。
【発明の詳細な説明】
【技術分野】
【０００１】
本発明は、突き出し窓（例えば滑り出し窓）のロック装置に関し、特に、両端部が窓枠側のブラケットと可動障子側のブラケットとにそれぞれ軸支された開閉アームを備えた突き出し窓のロック装置に関する。
【背景技術】
【０００２】
特許文献１には、「開閉用オペーレータ（操作手段）１により上下動させられる連結杆（スライド部材）４と、この連結杆に固定されたブラケット５を有し、このブラケットの上部には前記連結杆の長さ方向に長孔５ａが形成され、前方への張り出し部にはほぼ円弧状のガイド孔５ｂが形成されると共に、このガイド孔の下端には前記連結杆の長さ方向にロック用長孔５ｃが連設され、先端部を窓障子１０のＸ型の開閉アーム７に枢支した変換用アーム６の後端部が、前記ブラケットの上部の長孔５ａに枢支ピン６ａを介して上下動可能に係合され、かつ変換用アーム６の中央より前端寄りの部分が、前記ブラケット５のガイド孔５ｂ及びロック用長孔５ｃに枢支ピン６ｂを介して摺動可能に係合された窓のロック装置」が記載されている（符号は特許文献、以下の特許文献も同様）。
【０００３】
特許文献１のロック装置は、動力変換アーム６が必要である点、可動障子の閉鎖位置にて一箇所（ロック用長孔５ｃ）のみでロックする点等から、幾つか改良すべき問題点があった。
【０００４】
ところで、特許文献２には、窓枠側に配設された操作手段と、この操作手段の操作力によって鋏み揺動するように窓枠側のブラケットと可動障子側のブラケットとに枢軸を介して両端部がそれぞれ軸支されたＸ型の開閉アームが記載され、同時に「可動障子の閉鎖位置にて、可動障子３側に設けられたく字形状の動力変換機能を有するロック手段５０が、窓枠１側のスライド部材５に設けた突起５３に常時係合（嵌合）している事項」が記載されているが、この特許文献２に記載されたロック装置は、部品点数が非常に多いので、特許文献１と同様に改良すべき問題点があった。
【０００５】
また、特許文献３には、窓枠側のフック２５と可動障子側のロックピン２８が係脱する事項が記載されている。しかしながら、特許文献３には、本願発明の特徴部分（中核）を示唆する動機付けが全く記載されていない。
【０００６】
なお、特許文献４には、「開き、及び滑り出し窓」と称する滑り出し障子の開閉装置が記載されている。この特許文献４の図１や図６には、建物の開口部に固定された窓枠の縦枠に直接又は間接的に可動障子の基端部側の縦框が垂直軸を介して軸支され、一方、前記可動障子の開閉側の縦框の中央部には固定ブラケット及び枢軸を介して開閉アーム（連結アーム）の一端部が連結され、その他端部は前記窓枠側に固定されたカイド機構に可動ピンを介して連結されている。そして、窓枠側には可動障子を開閉するための開閉機構が前記カイド機構と連係するように配設されている旨が示されている。
【０００７】
この特許文献４に記載の滑り出し障子の開閉装置は、可動障子の自由端部が開閉するのに対応して前記開閉アーム（連結アーム）が垂直方向に回転する点で、本願発明の実施例と同様である。
【０００８】
また、特許文献５には、縦滑り出し障子の開閉装置が記載されている。この特許文献５は、可動障子の基端部側の縦框が垂直軸やヒンジ機構を介して可動障子の横枠に軸支され、特許文献４の開閉アームに相当するリンクが可動障子の自由端部が開閉するのに対応して水平方向に回転する点で、同じ滑り出し障子の開閉装置であっても、開閉アームの開閉態様が異なる。
【特許文献１】実公平７−２３５０３号公報
【特許文献２】特開２００２−２２７５１１号公報
【特許文献３】特開平４−１４６３８５号公報
【特許文献４】特開２００５−３００６８号公報
【特許文献５】実公平６−７６５８５号公報
【発明の開示】
【発明が解決しようとする課題】
【０００９】
本発明の所期の目的は、部品点数を極力少なくすることである。例えば窓枠側の固定ブラケットと可動障子側の可動ブラケットとに両端部がそれぞれ軸支された開閉アームを１本にすることである。また、本発明の二次的な目的は、可動障子のロック時、窓枠側の離間する複数のロック手段が、開閉アームの複数の箇所や可動障子の一つの箇所を同時にロックすることにより、可動障子が容易に前進しない或いはガタガタしないようにすることである。その他、全開位置で可動障子を安定的に支持することである。
【課題を解決するための手段】
【００１０】
本発明の突き出し窓のロック装置は、可動障子が全閉状態の位置になると操作手段の操作力又は駆動モータの駆動力のいずれかにより窓枠側に固定されたガイド板を介して可動ブラケットを垂直方向に移動させて可動障子と可動ブラケットに連結された開閉アームを可動ブラケットで係止する突き出し窓のロック装置であって、前記開閉アームは１本であり、また、前記可動ブラケットの中央部には、前記開閉アームの後端部に所定間隔離間して設けた第１可動ピンと第２可動ピンにそれぞれ係合する上下の案内支持部分が形成され、その一つの案内支持部分は、前記開閉アームを第１可動ピンを介して回転運動に変える斜め方向の駆動案内長孔と、該駆動案内長孔に垂直方向に連通すると共に前記第１可動ピンを係止するロック案内長孔であることを特徴とする。
【発明の効果】
【００１１】
（ａ）可動ブラケットの中央部に開閉アームの後端部に所定間隔離間して設けた第１可動ピンと第２可動ピンにそれぞれ係合する上下の案内支持部分を形成し、その一つの案内支持部分は、開閉アームを第１可動ピンを介して回転運動に変える斜め方向の駆動案内長孔と、該駆動案内長孔に垂直方向に連通すると共に前記第１可動ピンを係止するロック案内長孔なので、前記開閉アームを鋏揺動するＸ型の開閉アームにする必要がない。付言すると、開閉アームを１本にすることができる。なお、実施レベルでは、突き出し窓のロック装置は、建具の一方又は左右に配設されている。
（ｂ）請求項２や請求項３に記載の発明は、可動障子のロック時、窓枠側の離間する複数のロック手段が、開閉アームの複数の箇所や可動障子の一つの箇所を同時にロックするので、全閉時、可動障子は容易に前進しない或いはガタガタしない。
（ｃ）請求項４に記載の発明は、本発明の所期の目的を達成することができる。
（ｄ）請求項５に記載の発明は、全開位置で可動障子を安定的に支持することができる。
【発明を実施するための最良の形態】
【００１２】
以下、図１乃至図７に示す本発明を実施するための最良の形態（第１実施例）により説明する。なお、実施レベルでは、突き出し窓のロック装置は、建具の左右に一対配設することも可能であるが、図１２で示すような滑り出し窓のロック装置として使用する場合には、可動障子５の自由端部側の縦框と、この縦框に対向する窓枠１５の縦枠１５ａに亘って配設される。
【００１３】
ここで、本実施例を理解するために、図１２を参照にして、実施の環境を概略的に説明する。図１２は建物の開口部に固定された窓枠１５の縦枠１５ａ、１５ｂ、及び本願発明の主要部であるロック機構Ｘを平面視から概略的に示したものである。
【００１４】
図１は矢印Ａ−Ａ線からロック機構Ｘを見たもので、可動障子５及び窓枠１５は仮想線で示してある。符号ａは建物の開口部、この開口部ａを基準として右側が「室内」、左側が「室外」である。符号ｂは図示しないヒンジ機構を構成する垂直軸である。この垂直軸ｂを支点に可動障子５の自由端部５ａが矢印で示すように開閉する。ロック機構Ｘの開閉アーム７は、後述するように可動障子５の固定ブラケット６と窓枠側に配設して可動ブラケット４に連結され、可動障子５の開閉に対応して垂直方向に回動する。したがって、本実施例は、特許文献４と同様の使用態様である。
【００１５】
（１）発明の基本的な構成部材
図１は全開状態における発明の実施の環境を示す概略説明図である。図１に於いて、Ｘは突き出し窓のロック装置（以下、「ロック装置」という）で、このロック装置Ｘの基本的な構成部材は次の通りである。すなわち、１は窓枠側に配設された操作手段（又は駆動モータ）、２は操作手段の操作力（又は駆動モータの駆動力）に作動する動力伝達機構、３は窓枠に垂直状態に固定されたガイド板、４はガイド板に保持された状態で、かつ動力伝達機構２の伝動力により垂直方向に上下動する可動ブラケット、５は可動障子、６，６Ａは可動障子の上下端部に固定された単数又は複数の固定ブラケット、７は窓枠側の固定ブラケット６と可動障子側の可動ブラケット４とに両端部がそれぞれ軸支された１本の開閉アームである。したがって、ロック装置Ｘの基本的な構成部材は少ない。
【００１６】
このように、本願発明のロック装置Ｘの部品点数が少ない理由は、開閉アーム７の後端部７ａに所定間隔離間して第１可動ピン８と第２可動ピン９をそれぞれ突出状態に設け、一方、可動ブラケット４の中央部に前記第１可動ピン８と第２可動ピン９がそれぞれ係合する上下の案内支持部分１０、１１を形成し、しかも、前記案内支持部分１０、１１の一つ（本実施例では上案内支持部分１０）は、開閉アーム７を第１可動ピン８を介して回転運動に変える斜め方向の駆動案内長孔１０ａと、該駆動案内長孔に垂直方向に連通すると共に前記第１可動ピン８を係止するロック案内長孔１０ｂであるからである。以下、本発明の特定要件について順次説明するが、細部的な事項は図面及びその説明を割愛する。
【００１７】
（２）操作手段１と動力伝達機構２
操作手段１と動力伝達機構２は、周知事項なので、図面及び詳細な説明を割愛する。特許文献１の第１図、特許文献２の図１、特許文献３の第１図等に記載されているように、開閉用オペーレータ、ハンドル操作装置等と称される操作手段１は、普通一般に窓枠側のたて枠の屋内側面に配設されている。操作手段１はギヤボックス内にセクタ歯車等の駆動歯車を有し、この駆動歯車の駆動力（操作力）は、駆動レバー（第１リンク）、レバーを有する水平連結軸、単数又は複数の連動杆等で構成された動力伝達機構２に伝えられる。
【００１８】
（３）特許文献１に記載のスライド部材は不存在
例えば特許文献１では、動力伝達機構の伝動力が直接伝わるスライド部材（特許文献１では連結杆４）が存在し、該スライド部材に可動ブラケットが固定されている。しかし、本実施例では、特許文献１に記載のスライド部材は存在せず、上下端部にリップ溝形状部分３ａを有する長尺状ガイド板３に長尺状の可動ブラケット４の端板部分２１が係合保持され、しかも、前記端板部分の全体が長尺状ガイド板３内面にスライド自在に位置付けられている。
【００１９】
（４）窓枠側の可動ブラケット４
図７で示すように、可動ブラケット４は、窓枠１５のたて枠１５ａの一側に垂直状態に固定された長尺状ガイド板３にスライド自在に嵌め込まれている。したがって、第１実施例では、窓枠側には可動ブラケット４とは別個独立のその他の固定ブラケットや取付け金具は存在しない（部品点数の削減化）。なお、長尺状ガイド板３は、上端部に端面リップ溝形状部分３ａを有する。長尺状ガイド板３の細部的事項の説明は割愛する。
【００２０】
そこで、図２、図６及び図７を参照にして可動ブラケット４の構成を説明する。可動ブラケット４は、長尺状ガイド板３と同様に長尺状の板体である。可動ブラケット４の長さは、上下方向に所定量移動しても、その上下の端部が長尺状ガイド板３の上下の端面から食み出ないように設定されている。
【００２１】
さて、２１は長尺状ガイド板３の上下のリップ溝形状部分３ａにそれぞれ係合保持される上下一対の矩形状端板部分である。２２はブラケット本体である。このブラケット本体２２は、図６で示すようにアングル形状の折曲げ部分を介して上下の端板部分２１に連設している。図６及び図７を参照にすると、上下の端板部分２１はリップ溝形状部分３ａの内部に位置付けられ、一方、長板状のブラケット本体２２はガイド板３の外側に若干食み出ている。
【００２２】
しかして、符号１０、１１は、可動ブラケット４の中央部に形成された上下の案内支持部分である。これらの案内支持部分１０、１１には、開閉アーム７の後端部７ａに所定間隔離間して設けた第１可動ピン８と第２可動ピン９がそれぞれ係合している。
【００２３】
本実施例では、全閉移行時乃至全閉状態の時、可動ブラケット４が下方へと移動するので、上案内支持部分１０は、開閉アーム７を、第１可動ピン８を介して回転運動に変える斜め方向の駆動案内長孔１０ａと、該駆動案内長孔に垂直方向に連通すると共に前記第１可動ピン８を係止するロック案内長孔１０ｂを有している。
【００２４】
これに対して、下案内支持部分１１は、前記ロック案内長孔１０ｂの直ぐ下方に形成された垂直案内長孔となっている。上案内支持部分１０のロック案内長孔１０ｂと下案内支持部分１１としての垂直案内長孔は同じ長さである。
【００２５】
次に、上下の案内支持部分１０、１１を基準にすると、ブラケット本体２２の下端部側には第１の鉤状ロック部分２３が形成されている。一方、ブラケット本体２２の上端部側には第２の鉤状ロック部分２４が形成されている。
【００２６】
第１の鉤状ロック部分２３及び第２の鉤状ロック部分２４は、可動障子５側に形成された同一形状の切欠である。特に符号を付さないが、これらの鉤状ロック部分２３、２４の内部は、弧状、長孔状等のロック縁となっている。
【００２７】
全閉状態の時、本実施例では、可動障子側の下方に位置する固定ブラケット６Ａに補助用係合突起２５を設けているので、前記第１の鉤状ロック部分２３に補助用係合突起２５が係合する。一方、開閉アーム７の中央部或いは中央部寄りの部位に係合ピン２６を設けているので、前記第２の鉤状ロック部分２４に係合ピン２６が同時に係合する。
【００２８】
さらに、本実施例では、ブラケット本体２２の下端部に動力伝達機構２を構成する連動杆２ａ用の取付け孔２７が形成されている。また、符号２８は開閉アーム７の先端部７ｂを軸支する支軸で、該支軸２８は可動障子５の上側の固定ブラッケット６に設けられている。
【００２９】
（５）可動障子側の固定ブラケット６、６Ａ
図１で示すように、可動障子側の固定ブラケット６、６Ａは、可動障子５のたて框に不番の固着手段を介して固定的に設けられている。可動障子側のブラケット６は窓枠側の可動ブラケット４よりも長く形成しても良いが、本実施例では、上方の固定ブラケット６と下方の固定ブラケット６Ａとを別体にしている。それは固定ブラケット６Ａの補助用係合突起２５が第１の鉤状ロック部分２３に係脱することから、施工時における取付け位置の適格性を考慮したからである。
【００３０】
（６）開閉アーム７
本実施例の開閉アーム７は、Ｘ型の開閉アームではなく、１本の長板状のアームである（図６参照）。図６を参照にすると、可動障子側の固定ブラケット６の支軸２８に円形の軸孔２９を介して軸支された上端部が「先端部７ｂ」に相当し、一方、窓枠側の可動ブラケット４の上下の案内支持部分１０、１１に複数個の可動ピン８、９を介して支持されている下端部が「後端部７ａ」に相当する。
【００３１】
開閉アーム７は、操作手段１の操作力によって可動ブラケット４が直線運動すると、上下の案内支持部分１０、１１及び上下の可動ピン８、９を介して回転運動する。
【００３２】
しかして、図１で示す可動障子５の全開時、開閉アーム７は上案内支持部分１０の駆動案内長孔１０ａの係止縁辺と下案内支持部分１１の下側の係止縁辺に支持された状態で傾倒する。付言すると、開閉アーム７は下案内支持部分１１に支持されている第２可動ピン９を基準として「略３５度程度」開いている。
【００３３】
（７）作用
図３乃至図５を参照にして、本発明の主な作用を説明する。前述したように、本発明のロック装置Ｘは、開閉アーム７を介して可動障子５が全閉状態の位置になると、操作手段１の操作力又は駆動モータ１の駆動力のいずれかによりガイド板３を介して垂直方向に該可動障子を移動させて前記開閉アーム７を窓枠側の可動ブラケット４のロック部分で係止する。
【００３４】
そこで、図３乃至図５は、可動障子５が図１の全開時から全閉状態の位置まで移行し、それから可動障子５がさらに下方方向（矢印Ａ）に垂直移動し、第１の鉤状ロック部分２３に可動障子側の固定ブラケット６Ａの補助用係合突起２５が係合し、それと同時に、第２の鉤状ロック部分２４に開閉アーム７の中央部の係合ピン２６等が係合したことを示す。
【００３５】
ここで、図３及び図４は、操作手段１の操作力により、可動ブラケット４が下方方向（矢印Ａ）に移動していることを示す。可動ブラケット４が下方方向へ移動すると、開閉アーム７は上案内支持部分１０の駆動案内長孔１０ａの係止縁辺と下案内支持部分１１の下側の係止縁辺に支持された状態で閉じる方向（垂直方向）へと回動する。
したがって、図３で示すように、固定ブラケット６Ａの補助用係合突起２５が第１の鉤状ロック部分２３に、また、開閉アーム７の係合ピン２６が第２の鉤状ロック部分２４にそれぞれ接近する。
【００３６】
図４は可動ブラケット４がさらに下方方向（矢印Ａ）に移動して全閉位置まできたことを示す。この全閉位置の状態では、可動障子５は可動ブラケット４のロック部分２３、２４に入り込んだものの、未だロック部分２３、２４の上側に位置する下向き長孔状の係止縁辺に係止されていない。
【００３７】
図５は、図４の全閉位置の状態に於いて、操作手段１の操作ハンドルを回し続けた結果を示す。その結果は次の通りである。
【００３８】
（あ）ブラケット本体２２の下端部側の第１の鉤状ロック部分２３は可動障子側の補助用係合突起２５を係止（捕捉）すると同時に、（い）ブラケット本体２２の上端部側の第２の鉤状ロック部分２４は開閉アーム７の係合ピン２６を係止（捕捉）する。（う）それと同時に、開閉アーム７の先端部７ａの第１の可動ピン８は、上案内支持部分１０のロック案内長孔１０ｂの下向き長孔状の係止縁辺に係止（捕捉）される。
【００３９】
このように第１実施例のロック装置Ｘの可動障子５は、その閉鎖位置にて、「三箇所」でロックされる状態と成る。
【実施例】
【００４０】
この欄では、本発明の第２実施例（設計変更例）のロック装置Ｘ１について説明する。なお、基本的な構成は第１実施例と同じなので、同一部分には同一又は同様の符号を付して重複する説明を割愛する。ロック装置Ｘ１の設計変更の箇所は、下記に列挙する通りである。
【００４１】
（１）まず、開閉アーム７Ａの中央部或いは中央部寄りの部位と可動ブラケット４Ａを案内する上側のガイド板３Ａの上端部には、補助用支持アーム３１が枢軸３２、３３を介して連結されている点。前記枢軸３２は第１実施例の係合ピン２６の位置に存在する。一方、ガイド板３Ａの枢軸３３は可動ブラケット４Ａの上端から突出する上方位置に存在する。このように構成すると、図８で示すように可動障子５が全開した時には、少なくとも下案内支持部分１１と補助用支持アーム３１により、可動障子５を安定的に支持することができる。なお、この実施例では、補助用支持アーム３１の両端部が枢軸３２、３３を介して開閉アーム７Ａとガイド板３Ａにそれぞれ連結されているので、例えば前記開閉アーム７Ａの先端部の軸孔２９Ａは、円形ではなく、支軸２８に係合する案内長孔２９Ａとなっている。これにより、開閉アーム７Ａは補助用支持アーム３１が存在していても、スムースに開閉する。
【００４２】
（２）次に、発明の所期の目的に多少反するが、窓枠側のガイド板が、上側のガイド板３Ａと、このガイド板３Ａとは別体の下側のガイド板３Ｂとか成る点。また、可動ブラケット４Ａに対するガイド板３Ａ、３Ｂの案内機構（構成）が、リップ溝形状部分による把持係合方式ではなく、可動ブラケット４Ａの垂直案内長孔３５に係合する支持軸３６である点。なお、前記上側のガイド板３Ａと下側のガイド板３Ｂとは形態が異なる。また、前記垂直案内長孔３５は可動ブラケット４Ａの上端部と下端部の中央部にそれぞれ形成されている。
【００４３】
（３）次に、可動ブラケット４Ａは、第１実施例のリップ溝形状部分に係合する端板部分や開閉アーム７Ａと係合ピンと係合する第２の鉤状ロック部分が存在しない。したがって、可動障子５の全閉位置でのロック箇所は、図１０で示すように、可動障子側の補助用係合突起２５を係止する第１の鉤状ロック部分２３と、開閉アーム７Ａの第１の可動ピン８を係止する上案内支持部分１０のロック案内長孔１０ｂの下向き長孔状係止縁辺である。付言すると、第１実施例では「三箇所」でロックするのに対して、第２実施例では「二箇所」でロックする点が異なる。さらに、細部的事項ではあるが、連動杆２ａの取付け孔２７の位置も若干異なる。
【産業上の利用可能性】
【００４４】
本発明は、主に錠前や建具の業界で利用される。
【図面の簡単な説明】
【００４５】
図１乃至図７は本発明の第１実施例を示す各説明図。図８乃至図１１は本発明の第２実施例を示す各説明図。図１２は本発明の使用例の一例を示す概略説明図である。
【図１】第１実施例の可動障子の全開状態を示す環境説明図。
【図２】要部（可動ブラケット）の説明図。
【図３】開閉アームが全閉方向に移行している概略説明図。
【図４】全閉状態におけるロック直前の状態を示す説明図。
【図５】図４に於いて、ロックした状態を示す説明図。
【図６】図５を基準にした右側面からの説明図。
【図７】図５を基準にした平面視からの環境説明図。
【図８】第２実施例の可動障子の全開状態を示す環境説明図。
【図９】開閉アームが全閉方向に移行している概略説明図。
【図１０】図５と同様にロックした状態を示す説明図。
【図１１】図１０を基準にした右側面からの説明図。
【図１２】本発明の使用例の一例を示す概略説明図である。
【符号の説明】
【００４６】
Ｘ、Ｘ１…突き出し窓のロック装置（ロック装置）、１…操作手段、２…動力伝達機構、３、３Ａ、３Ｂ…ガイド板、４、４Ａ…窓枠側の可動ブラケット、５…可動障子、６、６Ａ…可動障子側の固定ブラケット、７、７Ａ…開閉アーム、８…第１可動ピン、９…第２可動ピン、１０…上案内支持部分、１０ａ…駆動案内長孔、１０ｂ…ロック案内長孔、１１…下案内支持部分、１５…窓枠、１５ａ…たて枠、２１…端板部分、２２…ブラケット本体、２３…第１の鉤状ロック部分、２４…第２の鉤状ロック部分、２７…連動杆用の取付け孔、２８…支軸、２９Ａ…案内長孔、３１…補助用支持アーム、３２、３３…枢軸、３５…垂直案内長孔、３６…支持軸。
【図１】
2009084935.tif 000003
【図２】
2009084935.tif 000004
【図３】
2009084935.tif 000005
【図４】
2009084935.tif 000006
【図５】
2009084935.tif 000007
【図６】
2009084935.tif 000008
【図７】
2009084935.tif 000009
【図８】
2009084935.tif 000010
【図９】
2009084935.tif 000011
【図１０】
2009084935.tif 000012
【図１１】
2009084935.tif 000013
【図１２】
2009084935.tif 000014